(57)【要約】  記録媒体に記録されるビデオデータに対するナビゲーション情報の構造と、その構造を用いる記録および再生方法、ならびに装置。本発明に従ってビデオデータを記録する方法は、ビデオデータをナビゲーションユニットに組織化し、多重複製パスセグメントにおいて異なる再生複製パスのナビゲーションユニットを互いにインターリーブして、記録媒体上のビデオデータを記録する。情報エントリは、各ナビゲーションユニットに対して生成され、情報エントリは、関連するナビゲーションユニットが多重複製パスセグメントにあるか否かを示す情報と、関連するナビゲーションユニットが属する複製パスを特定するための情報とを備える。
2008523698.tif 000002
【特許請求の範囲】
【請求項１】
ビデオデータとそのデータのナビゲーション情報を格納する記録媒体は、
前記ビデオデータが、複数のナビゲーションユニットで組織化されており、多重複製パス(multiple reproduction path)セグメントのうちの１つを含み、前記多重複製パスセグメントは、各複製パスに属するナビゲーションユニットの少なくとも一つ含み、
前記ナビゲーション情報が、前記各ナビゲーションユニットに対する情報エントリを含み、前記情報エントリが、関連するナビゲーションユニットが多重複製パスセグメントにあるか否かを示す情報、および前記関連ナビゲーションユニットが属する複製パスを特定するための情報を備える
ことを特徴とする記録媒体。
【請求項２】
前記情報エントリは、前記関連するナビゲーションユニットと別の複製パスの続くデータブロックの第１のナビゲーションユニットとの間に存在するナビゲーションユニットの数、前記関連するナビゲーションユニットが属する複製パスに属するナビゲーションユニットの大きさ、前記関連するナビゲーションユニットのプレゼンテーション時間、および前記関連するナビゲーションユニットの前記大きさをさらに備えることを特徴とする請求項１に記載の記録媒体。
【請求項３】
前記ナビゲーション情報は、前記ビデオデータが、複製パスの数の変化に基づいて領域（リージョン）に分割される領域情報を含むことを特徴とする請求項１に記載の記録媒体。
【請求項４】
前記領域情報は、前記ビデオデータ内のナビゲーションユニットの数についての情報、前記領域の数についての情報、および前記領域についての情報を有するテーブルエントリを備え、各テーブルエントリは、１つの領域に関連付けられており、前記テーブルエントリの数は、前記領域の数と等しいことを特徴とする請求項３に記載の記録媒体。
【請求項５】
前記テーブルエントリは、関連する領域の番号、関連する領域のビデオセグメントに含まれる複製パスの数、前記関連する領域の開始プレゼンテーション時間と終了プレゼンテーション時間、前記関連する領域の開始ナビゲーションユニットに対する情報エントリの番号、および前記関連する領域の終了ナビゲーションユニットに対する情報エントリの番号、ならびに前記関連する領域の前記開始ナビゲーションユニットのアドレスを備えていることを特徴とする請求項４に記載の記録媒体。
【請求項６】
前記ビデオデータ内のナビゲーションユニットの数についての前記情報は、前記ビデオデータにおける複製パスの総数と、各複製パスに属するナビゲーションユニットの数で与えられることを特徴とする請求項４に記載の記録媒体。
【請求項７】
前記多重複製パスセグメントにおけるナビゲーションユニットが、複製パスの１つのナナビゲーションユニットが異なる複製パスの１つのナビゲーションユニットが続くように、インターリーブされていることを特徴とする請求項１に記載の記録媒体。
【請求項８】
前記多重複製パスセグメントにおけるナビゲーションユニットが、複製パスの複数のナビゲーションパスが、異なる複製パスの複数のナビゲーションユニットに続くように、インターリーブされていることを特徴とする請求項１に記載の記録媒体。
【請求項９】
ビデオデータとそのデータのナビゲーション情報を格納する記録媒体は、
前記ビデオデータが、複数のナビゲーションユニットで組織化されており、また異なる親レベルのセグメントを含み、
前記ナビゲーション情報は、前記ビデオデータ上での親レベルの変化に基づいて前記ビデオデータを領域に分割する領域情報を含み、前記領域情報は、前記領域の数についての情報、および前記領域上の情報を有するテーブルエントリを備え、各テーブルエントリは、１つの領域に関連付けられていて、前記テーブルエントリの数は前記領域の数と等しい
ことを特徴とする記録媒体。
【請求項１０】
前記テーブルエントリは、関連する領域の番号、関連する領域にあるビデオセグメントの親レベル、前記関連する領域の開始プレゼンテーション時間と終了プレゼンテーション時間、および前記関連する領域の開始ナビゲーションユニットに対する情報エントリの番号と前記関連する領域の終了ナビゲーションユニットに対する情報エントリの番号とを備え、前記情報エントリはナビゲーションユニット毎に生成されていて、プレゼンテーション時間上の情報と前記関連するナビゲーションユニットの大きさとを少なくとも含んでいるとその大きさに対する情報を含んでいることを特徴とする請求項９に記載の記録媒体。
【請求項１１】
記録媒体上にビデオデータを記録する方法であって、
（ａ）前記記録媒体上に複数の複製パスを有するビデオデータを記録するステップであり、一方で、前記ビデオデータをナビゲーションユニットに組織化し、複製パスの少なくとも１つのナビゲーションユニットが、異なる複製パスの少なくとも１つのナビゲーションユニットに続くように、複製パスセグメントにおいて互いにナビゲーションユニットをインターリーブするステップと、
（ｂ）前記記録されたビデオデータに対するナビゲーション情報を生成し、前記記録媒体に前記ナビゲーション情報を記録するステップと
を備え、
前記ナビゲーション情報は、各ナビゲーションユニットに対する情報エントリを含み、前記情報エントリは、関連するナビゲーションユニットが多重複製パスセグメントにあるか否かを示す情報と、前記関連するナビゲーションユニットが属する複製パスを特定する情報とを含むことを特徴とする方法。
【請求項１２】
前記情報エントリは、前記関連するナビゲーションユニットと別の複製パスの続くデータブロックの第１のナビゲーションユニットとの間に存在するナビゲーションユニットの数、前記関連するナビゲーションユニットが属する複製パスに属するナビゲーションユニットの大きさ、前記関連するナビゲーションユニットのプレゼンテーション時間、および前記関連するナビゲーションユニットの大きさをさらに備えることを特徴とする請求項１１に記載の方法。
【請求項１３】
前記ナビゲーション情報は、前記ビデオデータが、複製パスの数の変化に基づいて領域（リージョン）に分割される領域情報を含み、前記領域情報は、前記ビデオデータ内のナビゲーションユニットの総数についての情報、前記領域の数についての情報、および前記領域についての情報を有するテーブルエントリを備え、各テーブルエントリは、１つの領域に関連付けられており、前記テーブルエントリの数は、前記領域の数と等しいことを特徴とする請求項１１に記載の方法。
【請求項１４】
前記テーブルエントリは、関連する領域の番号、関連する領域のビデオセグメントに含まれる複製パスの数、前記関連する領域の開始プレゼンテーション時間と終了プレゼンテーション時間、前記関連する領域の開始ナビゲーションユニットに対する情報エントリの番号および前記関連する領域の終了ナビゲーションユニットに対する情報エントリの番号、ならびに前記関連する領域の前記開始ナビゲーションユニットのアドレスを備えていることを特徴とする請求項１３に記載方法。
【請求項１５】
前記記録媒体は、前記記録媒体の表面上にプリピット形態で、前記ビデオデータおよびナビゲーションデータを有し、前記ビデオデータおよびナビゲーションデータが前記ステップ（ａ）および（ｂ）によって記録されていることを特徴とする請求項１１に記載の方法。
【請求項１６】
記録媒体上にビデオデータを記録する方法であって、
（ａ）前記記録媒体上に異なる親レベルのセグメントを有するビデオデータを記録するステップであり、一方で、前記ビデオデータをナビゲーションユニットに組織化するステップと、
（ｂ）前記記録されたビデオデータに対するナビゲーション情報を生成し、前記記録媒体に前記ナビゲーション情報を記録するステップと
を備え、
前記ナビゲーション情報は、前記ビデオデータが、前記ビデオデータ上で親レベルの変化に基づいて領域に分割される領域情報を含み、前記領域情報は、前記領域の数についての情報、および前記領域についての情報を有するテーブルエントリを備え、各テーブルエントリは、１つの領域に関連付けられており、関連する領域の親レベルについての情報を少なくとも含み、前記テーブルエントリの数は、前記領域の数と等しいことを特徴とする方法。
【請求項１７】
前記テーブルエントリは、関連する領域の番号、関連する領域の開始プレゼンテーション時間と終了プレゼンテーション時間、ならびに前記関連する領域の開始ナビゲーションユニットに対する情報エントリの番号および前記関連する領域の終了ナビゲーションユニットに対する情報エントリの番号を備え、前記情報エントリは、ナビゲーションユニット毎に生成され、プレゼンテーション時間および関連するナビゲーションユニットの大きさについての情報を少なくも含んでいることを特徴とする請求項１６に記載の方法。
【請求項１８】
前記記録媒体は、前記記録媒体の表面上にプリピット形態で、前記ビデオデータおよびナビゲーションデータを有し、前記ビデオデータおよびナビゲーションデータが前記ステップ（ａ）および（ｂ）によって記録されていることを特徴とする請求項１６に記載の方法。
【請求項１９】
ビデオデータおよびそのナビゲーション情報を記録媒体に記録する装置であって、
前記記録媒体に信号を記録する記録手段と、
複数の複製パスセグメントを有するビデオデータを、前記記録媒体の記録フォーマットに従って記録するのに好適データに再構成し、前記記録フォーマットデータ(recording-formatted data)を記録手段に提供するフォーマッターと、
前記ビデオデータをナビゲーションユニットに組織化し、ナビゲーションユニット毎の情報エントリを生成するため、および前記記録媒体上のナビゲーションユニット毎に前記生成された情報エントリを記録するための記録手段を制御するための制御部と
を備え、
前記情報エントリは、関連するナビゲーションユニットが多重複製パスセグメントにあるか否かを示す情報、および前記関連ナビゲーションユニットが属する複製パスを特定するための情報を備える
ことを特徴とする装置。
【請求項２０】
前記情報エントリは、前記関連するナビゲーションユニットと別の複製パスの続くデータブロックの第１のナビゲーションユニットとの間に存在するナビゲーションユニットの数、前記関連するナビゲーションユニットが属する複製パスに属するナビゲーションユニットの大きさ、前記関連するナビゲーションユニットのプレゼンテーション時間、および前記関連するナビゲーションユニットの大きさをさらに備えることを特徴とする請求項１９に記載の装置。
【請求項２１】
前記制御部は、前記ビデオデータを、複製パスの数の変化に基づいて領域に分割し、前記領域上に情報を生成し、前記記録媒体上に前記生成された情報を記録するための前記記録手段を制御し、前記領域上の前記情報は、前記ビデオデータ内のナビゲーションユニットの総数についての情報、前記領域の数についての情報、および前記領域についての情報を有するテーブルエントリを備え、各テーブルエントリは、１つの領域に関連付けられており、前記テーブルエントリの数は、前記領域の数と等しいことを特徴とする請求項１９に記載の装置。
【請求項２２】
前記テーブルエントリは、関連する領域の番号、関連する領域の番号、関連する領域の前記ビデオセグメントに含まれる複製パスの数、前記関連する領域の開始プレゼンテーション時間と終了プレゼンテーション時間、前記関連する領域の開始ナビゲーションユニットに対する情報エントリの番号および前記関連する領域の終了ナビゲーションユニットに対する情報エントリの番号、ならびに前記関連する領域の前記開始ナビゲーションユニットのアドレスを備えることを特徴とする請求項２１に記載の装置。
【請求項２３】
前記記録媒体はその表面に感光層を含み、前記記録手段は入力信号に対応するピットを前記感光層上に形成することを特徴とする請求項１９に記載の装置。
【請求項２４】
ビデオデータおよびそのナビゲーション情報を記録媒体に記録する装置であって、
前記記録媒体に信号を記録する記録手段と、
異なる親レベルのセグメントを有するビデオデータを、前記記録媒体の記録フォーマットに従って記録するのに好適データに再構成し、前記記録フォーマットデータを前記記録手段に提供するフォーマッターと、
前記ビデオデータを異なる親レベルにおける変化に基づき前記領域に分割するため、前記ビデオデータをナビゲーションユニットに組織化し、ナビゲーションユニット毎の情報エントリを生成するため、および前記記録媒体上でナビゲーション情報として前記生成された情報を記録するための記録手段を制御するための制御部と
を備え、
前記領域情報は、前記領域の数および前記領域上の情報を有するテーブルエントリについての情報を備え、各テーブルエントリは、１つの領域に関連付けられ、関連する領域の親レベルについての情報を少なくとも含み、前記テーブルエントリの数は、前記領域の数と等しいことを特徴とする装置。
【請求項２５】
前記テーブルエントリは、関連する領域の番号、関連する領域の開始プレゼンテーション時間と終了プレゼンテーション時間、ならびに前記関連する領域の開始ナビゲーションユニットに対する情報エントリの番号および前記関連する領域の終了ナビゲーションユニットに対する情報エントリの番号をさらに備え、前記情報エントリは、プレゼンテーション時間および関連するナビゲーションユニットの大きさについての情報を少なくも含んでいることを特徴とする請求項２４に装置。
【請求項２６】
記録媒体からビデオデータを再生する方法であって、
（ａ）前記記録媒体から前記ビデオデータに対するナビゲーション情報を読み出すステップと、
（ｂ）前記ビデオデータの多重複製パスセグメントにおけるナビゲーションユニットを、ナビゲーションユニット毎の情報エントリに含まれる第１の情報および第２の情報前記に基づいて、前記記録媒体から読み出すステップであって、前記ビデオデータがそこへ組織化され、前記情報エントリがナビゲーション情報に含まれるステップと
を備え、
前記第１情報は、関連するナビゲーションユニットが多重複製パスセグメントにあるか否かを示し、前記第２情報は、前記関連するナビゲーションユニットが属する複製パスを示すことを特徴とする方法。
【請求項２７】
（ｃ）前記ビデオデータを複製パスの数の変化に基づいて領域に分割する領域情報に基づいて、領域の開始位置を位置づけ、前記開始位置からデータを前記読み出すステップであって、前記領域情報は、前記ナビゲーション情報に含まれているステップ
をさらに備え、
前記領域情報は、前記ビデオデータにおけるナビゲーションユニットの数についての情報、前記領域の数についての情報、および前記領域についての情報を有するテーブルエントリを備え、各テーブルエントリは、１つの領域に関連付けられており、前記テーブルエントリの数は、前記領域の数と等しいことを特徴とする請求項２６に記載の方法。
【請求項２８】
記録媒体からビデオデータを再生する方法であって、
（ａ）前記記録媒体から前記ビデオデータに対するナビゲーション情報を読み出すステップと、
（ｂ）前記ビデオデータを前記ビデオデータ上の親レベルの変化に基づいて領域に分割する領域情報に基づいて、領域の開始位置を位置づけ、前記開始位置からデータを前記読み出すステップであって、前記領域情報は、前記ナビゲーション情報に含まれているステップ
と
を備え、
前記領域情報は、前記領域の数についての情報、および前記領域についての情報を有するテーブルエントリを備え、各テーブルエントリは、１つの領域に関連付けられており、関連する領域の親レベルについての情報を少なくとも含み、前記テーブルエントリの数は、前記領域の数と等しいことを特徴とする方法。
【請求項２９】
記録媒体からビデオデータを再生する装置であって、
前記記録媒体に記録されたデータを再生する光再生手段を駆動するドライバと、
前記光再生手段により読み出された前記ビデオデータをデコードするデコーダと、
前記光再生手段により読み出された前記ビデオデータのナビゲーション情報を格納するストレージ部と、
前記ビデオデータが組織化されるナビゲーションユニット毎の情報エントリに含まれる第１情報と第２情報に基づいて、前記ドライバを制御することにより、前記光再生手段を介して、前記記録媒体から前記ビデオデータの多重複製パスセグメントにおけるナビゲーションユニット読み出す制御部であって、前記情報エントリは、ストレージ部に格納された前記ナビゲーション情報に含まれる制御部と
を備え、
前記第１情報は、関連するナビゲーションユニットが多重複製パスセグメントにあるか否かを示し、前記第２情報は、前記関連するナビゲーションユニットが属する複製パスを特定することを特徴とする装置。
【請求項３０】
前記制御部は、複製パスの数の変化に基づき前記ビデオデータを領域に分割する、領域情報に基づいて領域の開始位置を位置づけるタスク、および前記ドライバを制御することにより前記光再生手段を介して前記開始位置からデータを読み出すタスクをさらに実行し、前記領域情報は、前記ビデオデータにおけるナビゲーションユニットの総数についての情報、前記領域の数についての情報、および前記領域についての情報を有するテーブルエントリを備え、各テーブルエントリは、１つの領域に関連付けられ、前記テーブルエントリの数は、前記領域の数と等しいことを特徴とする請求項２９に記載の装置。
【請求項３１】
記録媒体からビデオデータを再生する装置であって、
前記記録媒体に記録されたデータを再生する光再生手段を駆動するドライバと、
前記光再生手段により読み出された前記ビデオデータをデコードするデコーダと、
前記光再生手段により読み出された前記ビデオデータのナビゲーション情報を格納するストレージ部と、
前記ビデオデータを前記ビデオデータ内の前記親レベルにおける変化に基づいて領域に分割する、領域情報に基づいて領域の開始位置を位置づけるため、前記ドライバによって制御されることにより、前記光再生手段を介して、前記開始位置からデータを読み出すための制御部であって、前記領域情報は、前記ナビゲーション情報に含まれている制御部と
を備え、
前記領域情報は、前記領域の数についての情報、および前記領域についての情報を有するテーブルエントリを備え、各テーブルエントリは、１つの領域に関連付けられ、関連する領域の親レベルについての情報を少なくとも含み、前記テーブルエントリの数は前記領域の数と等しいことを特徴とする装置。
【発明の詳細な説明】
【技術分野】
【０００１】
本発明は、読み取り専用の記録媒体に記録される、多重複製パスを有するかまたは異なる親レベルの複製領域を有するビデオデータに対するナビゲーション情報の構造と、その構造を用いる方法および装置に関する。
【背景技術】
【０００２】
通常ＤＶＤと呼ばれるＤＶＤ−ＲＯＭは、約４．７ＧＢｙｔｅの記録容量を有し、映画などの高品質デジタルコンテンツを配信するためのストレージ媒体として一般に使用される。
【０００３】
ＴＶ局は現在、アナログおよびデジタルの両方において放送するが、デジタルＴＶ放送のみが、近い未来に利用可能になる。デジタル放送は、そのアナログに対応するものを超えて、よりよりビデオ品質を提供する。閲覧者は、ＤＶＤよりより高いビデオ品質の映画を楽しむことを自然に望む。
【０００４】
この理由のために、ＤＶＤより大きい容量を有する読み取り専用ディスクが開発されてきている。より高容量のディスクは、閲覧者により様々な方法で、高品質のコンテンツを提供できる。別の例として、タイトルのバージョン、または異なる親レベルに関連するその位置を、記録媒体に記録できる。
【発明の開示】
【発明が解決しようとする課題】
【０００５】
異なるカメラアングルを表現するビデオデータが記録媒体に記録される場合、１以上のビデオセグメントは、異なるアングルに関連する多重複製パスがあるので、同じプレゼンテーション（ｐｒｅｓｅｎｔａｔｉｏｎ）時間を有するかもしれない。この場合、多重複製データ領域およびそこに含まれるアングルを表現するセグメントは、異なるデータサイズを有するが、同じ再生時間を有し、これは再生の間の間隔スキップまたはサーチ動作において問題となる。
【課題を解決するための手段】
【０００６】
従来技術の欠点の観点において、本発明の１つの目的は、記録媒体に記録された多重複製パスを有するデータ領域の効率的な特定および管理を可能にするナビゲーション情報の構造と、この構造を用いた記録および再生方法および装置を提供することである。
【０００７】
本発明の別の目的は、記録媒体に記録された異なる親レベルを有するデータ領域の効率的な特定および管理を可能にするナビゲーション情報の構造と、この構造を用いた記録および再生方法および装置を提供することである。
【０００８】
本発明によるビデオデータを記録する方法は、ビデオデータをナビゲーションユニットに組織化して記録媒体上にビデオデータを記録し、多重複製パスセグメントにおいて異なる複製パスのナビゲーションユニットを互いにインターリーブする。情報エントリは、ナビゲーションユニット毎に生成され、情報エントリは、関連するナビゲーションユニットが多重複製パスセグメントにあるか否かを示す情報と、関連するナビゲーションユニットが属する複製パスを特定するための情報を備える。
【０００９】
本発明は、多重複製パスビデオデータを、複製パスの数の変化に基づいて領域に分割する領域情報を生成し記録する。領域情報はビデオデータ内のナビゲーションユニットの数についての情報と、領域の数について情報と、領域についての情報を有するテーブルエントリとを備え、１つのテーブルエントリは、１つの領域に関連付けられ、テーブルエントリの数は領域の数と等しい。
【００１０】
本発明は、異なる親レベルのセグメントを有するビデオデータを、ビデオデータをナビゲーションユニットに組織化して記録し、ビデオデータにおいて親レベルの変化に基づいてビデオデータを領域に分割する領域情報を生成して記録する。領域情報は、領域の数についての情報と、領域についての情報を有するテーブルエントリとを備え、１つのテーブルエントリは、１つの領域に関連付けられ、テーブルエントリの数は、領域の数と等しい。
【００１１】
本発明のさらなる理解を提供するために含められる添付の図面は、本発明の好適な実施形態を図示し、詳細な説明と共に、本発明の原理を説明するために供給される。
【発明を実施するための最良の形態】
【００１２】
本発明を完全に理解するために、このいくつかの実施形態が添付の図面を参照してここで説明される。
【００１３】
図１は本発明によってナビゲーションデータを有する読み取り専用光ディスクを製造するための装置のブロック図である。この装置は、レーザビームを発生させるレーザダイオード１０、発生したレーザビームの視準を合わせる照準器１１、変調された入力信号（例えば、ＥＦＭ信号）に応じて照準器１１から並行ビームを透過または遮断する光変調器１３、ガラス気質に位置づけられた感光層（たとえば、フォトレジスト）上の光変調器１３からビームを集光する集光レンズ１４、入力されたコンテンツデータを、ＭＰＥＧ形式でエンコードするエンコーダー２０、エンコードされたデータを記録に適したＥＣＣブロックデータにフォーマットするフォーマッター２１、データを格納するための大容量記録媒体２３（たとえばハードディスクドライブ）、記録媒体２３から／へデータを読み取り／書き込みする読み取り／書き取り部２２、記録媒体２３に格納されたデータをディスク上に記録するためのＥＦＭ信号などのバイナリ信号に変調する信号変調器３１、およびユーザ入力を処理し、記録されているコンテンツについてナビゲーションデータを生成し、感光層上のレーザビームの照射を制御する記録制御器３０を備える。
【００１４】
図１に示される装置を用いて読み取り専用ディスクを製造するためには、読み取り専用ディスクに記録されることになるコンテンツデータ、およびコンテンツデータについてのナビゲーションデータを記録媒体２３に書き込む。ここに格納されるデータは記録制御部３０の制御の下で読まれ、その後信号変調器３１によりバイナリ信号に変調される。光変調器１３は、変調された信号のレベルに応じて、平行レーザビームを透過または遮断し、したがってガラス基質に位置づけられた感光層上の変調された信号に対応するピット列（ｐｉｔ  ｔｒａｉｎ）を形成する。記録制御部３０の制御により制御されて、集光レンズ１４はピット形成処理の間ゆっくり外側に移動し、したがってピット列を螺旋模様にする。ピット列は、格納媒体２３に格納されたコンテンツデータおよびナビゲーションデータに対応するデータを表す。そこにピット列を有する感光層を用いてスタンパー（ｓｔａｍｐｅｒ）を作り、本発明によるコンテンツデータおよびナビゲーションデータを格納する読み取り専用ディスクは、スタンパーを用いて製造される。
【００１５】
格納媒体２３に格納されたコンテンツデータおよびナビゲーションデータが読み取り専用ディスクに直接マッピングされるので、本発明による格納媒体２３にデータを書き込む方法をここで説明する。
【００１６】
入力ビデオ信号は、エンコーダー２０により特定のフォーマット（例えばＭＰＥＧ）でエンコードされ、フォーマッター２１によりＥＣＣブロックに変換され、その後、読み取り／書き取り部２２により格納媒体２３に書き込まれる。また、別の装置によりあらかじめエンコードされたデータストリームが、別の格納媒体から提供されうる（１０１）。
【００１７】
エンコーダー２０は、入力データをＧＯＰにエンコードし、ＧＯＰの各々は、Ｉピクチャーを先頭、および場合によってはさらなるピクチャーを備える。図２に示すように、記録制御部３０は、１以上の連続するＧＯＰをナビゲーションユニットに組織化することによって、その再生時間が０．４および１秒であり、ナビゲーションユニットに対するナビゲーション情報を生成する。ナビゲーションユニットの生成のために必要な情報は、エンコーダー２０により提供される。ナビゲーションユニットをＶＯＢＵ（ビデオオブジェクトユニット：Ｖｉｄｅｏ  Ｏｂｊｅｃｔ  Ｕｎｉｔ）と呼び、タイトルに対応する記録されたデータをＮＯＢ（ビデオオブジェクト：Ｖｉｄｅｏ  Ｏｂｊｅｃｔ）と呼ぶ。各ナビゲーションユニットは、セクタに並べられ、格納媒体２３のデータ領域に記録され、各セクタは、２０４８バイトの大きさを有する。各ナビゲーションユニットが、格納媒体２３のデータ領域に記録されているという事実は、読み取り専用ディスク上にピットとして記録される格納媒体２３に書き込まれたデータは、読み取り専用ディスクのデータ領域にマッピングされることを意味する。
【００１８】
記録されることになるデータが、多重複製パス（たとえばマルチアングル）を有す場合、記録制御部３０は、エンコーダー２０を制御して、各複製パスのデータを別々にエンコードし、各複製パスのデータは個々に提供される。インターリーブユニットは、図３Ａで示すようにＶＯＢＵであるか、または図３Ｂで示すように多重ＶＯＢＵであるかもしれない。各多重複製パスセグメントの決定、ナビゲーションユニットの生成に必要とされる複製パスについての情報は、記録制御部３０にあらかじめプログラムされたＧＵＩ（Ｇｒａｐｈｉｃａｌ  Ｕｓｅｒ  Ｉｎｔｅｒｆａｃｅ）などのユーザインターフェースを通して、ユーザから受け取られる。
【００１９】
多重複製パスセグメントが指定される場合、記録制御部３０は、多重複製パスより前に単一複製パスのデータセグメントを一つの領域として組織化し、そのために領域情報テーブルを生成する。多重複製パスセグメントが終了し、単一複製パスセグメントが開始する場合、記録制御部３０は、多重複製パスセグメントを単一の領域として組織化し、そのために領域情報テーブルを生成する。すなわち、複製パスの数が変化する度に、記録制御部３０は、変化の前に受け取られたデータセグメントを領域として組織化し、領域についての領域情報テーブルを生成する。記録動作が終了する場合、記録制御部３０は、最後のセグメントを領域として組織可視、領域についての領域情報テーブルを生成する。例えば図４において、タイトル１は５個の領域に組織化され、５個の領域情報テーブルが生成される。全ての領域情報テーブルが記録された後に、記録制御部３０は、領域一般情報を生成して記録する。
【００２０】
図５は領域情報テーブルおよび領域一般情報の構造を示している。
【００２１】
領域一般情報は、ＶＯＢＵの総数５ａ、および領域情報テーブルの数５ｄを含んでいる。領域情報テーブルの数は、記録されたデータに含まれる領域の数を示す。領域一般情報は、ＶＯＢＵの総数５ａの代わりに、多重複製パスセグメントに含まれるインターリーブされたブロックの最大数５ｂ、各複製パス５ｃ内に含まれるＶＯＢＵの数を含むことができる。多重複製パスセグメントに含まれるインターリーブされたブロックの最大数は、複製パスの最大数を示す。
【００２２】
各領域情報テーブルは、領域インデックス５１ｄ、インターリーブされたブロックの数を含み、これは、１に設定された場合の単一複製パス領域、領域の開始ＰＴＭ５３ｄと終了ＰＴＭ５４ｄ、領域の開始ＶＯＢＵエントリ番号５５ｄと終了ＶＯＢＵエントリの番号５６ｄ、および領域の開始ＶＯＢＵのアドレス５７ｄを示す。ＶＯＢＵエントリは、本発明によって記録されるタイムマップ（Ｔｉｍｅ  ＭＡＰ）の要素である。マップエントリは、ＶＯＢＵに対応するので、マップエントリはＶＯＢＵエントリと呼ばれる。本発明によるタイムマップについては後述する。
【００２３】
図４に示すように、図５に示されるナビゲーション情報は、データベース領域４０１に記録され、これは、現在のデータが書き込まれ、管理情報を可格納する領域の前に位置づけられる。ナビゲーション情報がデータベース領域４０１に書き込まれる事実は、格納媒体２３のデータベース領域４０１に格納されたデータが、読み取り専用記録媒体のデータベース領域にマッピングされることを意味する。
【００２４】
ＶＯＢＵが記録されているデータストリームに割り当てられるたびに、記録制御部３０は、そのＶＯＢＵについてのＶＯＢＵエントリを生成して記録する。生成されたＶＯＢＵエントリは、タイムマップに記録される。ＶＯＢＵエントリは、対応するＶＯＢＵの大きさとプレゼンテーション時間期間についての情報を含み、したがって、プレゼンテーション時間を基にした検索を可能とし、これは、このマップがなぜタイムマップと呼ばれるかを説明する。
【００２５】
図６は本発明によって生成されたＶＯＢＵエントリの構造を示す。示されるように、ＶＯＢＵエントリは、関連するＶＯＢＵが多重複製パスに属するか否かを示すフラグ６ａ、関連するＶＯＢが属する複製パス番号（例えば、アングル番号）６ｂ、次にインターリーブされたブロック（すなわち他の複製パスのブロック）へのＶＯＢＵの数６ｃ、関連するＶＯＢＵが属するインターリーブされたブロック内のビデオ／オーディオパックの数６ｄ、関連するＶＯＢＵ内のビデオフィールド（フレーム）の数６ｅ、および関連するＶＯＢＵに含まれるビデオ／オーディオパックの数６ｆを含んでいる。秒ごとのフィールド（フレーム）の数６が予め決定されているので、フィールド（フレーム）の数６ｅは、再生時間期間を表す。
【００２６】
図７は、図６に示されるＶＯＢＵエントリの多くの主要なフィールドの一例であり、１つのインターリーブユニットは、図３ｂに示されるように３つのＶＯＢＵを含む。ＶＯＢＵ＃（ｉ−１）に先行するＶＯＢＵおよびＶＯＢＵ＃（ｉ−１）は、多重複製パスデータを表さず、それらはインターリーブされず、したがってフラグ６ａ（Ｉｎｔｅｒｌｅａｖｉｎｇ＿Ｆａｇ）は、「０」に設定される。続くＶＯＢＵのフラグ６ａ（Ｉｎｔｅｒｌｅａｖｉｎｇ＿Ｆａｇ）、つまりアングル１についての３ＶＯＢＵおよびアングル２についての１ＶＯＢＵは、すべて「１」に設定される。Ｎｅｘｔ＿Ｉｎｖ＿ＶＯＢＵ＿Ｎｕｍ＿Ｏｆｆｓｅｔフィールドは、現在のＶＯＢＵと次のインターリーブされたブロックの最初のＶＯＢＵとの間に存在するＶＯＢＵの数を表す。アングル１についてインターリーブされたブロックの最初のＶＯＢＵであるＶＯＢＵ＃（ｉ）−１と、アングル２についてインターリーブされたブロックの最初のＶＯＢＵであるＶＯＢＵ＃（ｉ）−２との間の２つのＶＯＢＵがあるので、ＶＯＢＵ＃（ｉ）−１のＮｅｘｔ＿Ｉｎｖ＿ＶＯＢＵ＿Ｎｕｍ＿Ｏｆｆｓｅｔフィールドは、「２」と書き込まれる。同様に、ＶＯＢＵ＃（ｉ＋１）−１のＮｅｘｔ＿Ｉｎｖ＿ＶＯＢＵ＿Ｎｕｍ＿Ｏｆｆｓｅｔフィールドは、「１」と書き込まれる。ＶＯＢＵ＃（ｉ＋２）−１が、ＶＯＢＵ＃（ｉ）−２にすぐ続くので、そのＮｅｘｔ＿Ｉｎｖ＿ＶＯＢＵ＿Ｎｕｍ＿Ｏｆｆｓｅｔフィールドは、「０」と書き込まれる。アングル２についてのインターリーブユニットの最初のＶＯＢＵである、ＶＯＢＵ＃（ｉ）−２のＮｅｘｔ＿Ｉｎｖ＿ＶＯＢＵ＿Ｎｕｍ＿Ｏｆｆｓｅｔフィールドは、インターリーブユニットが３つのＶＯＢＵを含むので、「２」と書き込まれる。しかし、ビデオデータが例えば、アングル１およびアングル２の２つの複製パスのみを有する場合、ＶＯＢＵ＃（ｉ）−２のＮｅｘｔ＿Ｉｎｖ＿ＶＯＢＵ＿Ｎｕｍ＿Ｏｆｆｓｅｔは、「０」と書き込まれる。
【００２７】
多重複製パスコンテンツデータの記録に加え、異なる親レベルのセグメントを含むコンテンツデータを記録するかもしれない。図１に示される装置は、異なる親レベルのセグメント含むコンテンツデータを記録するかもしれない。各セグメントの親レベルは、ユーザにより提供される情報により決定される。親レベルが変更されるたびに、記録制御部３０は、このように遠く受信したデータを領域として組織化し、異なる親レベルで新しい領域を開始する前に、領域についての領域情報テーブルを生成する。図８ａは、格納媒体２３のデータ領域に記録されたコンテンツデータの一例を示し、記録データは親レベル１による異なる領域で組織される。図８Ｂは、生成された領域情報の構造を例示的に示す。多重複製パスについてのナビゲーション情報の場合と同様に、多重親レベルを有するコンテンツについてのナビゲーション情報は、図８ｂに示されるデータベースに記録される。
【００２８】
図８ａに示される記録されたデータの場合において、４つの領域情報テーブルが、図８ｂに示されるように領域一般情報内に生成される。図８ｂに示される領域情報構造は、一般情報として領域情報テーブルの数（親情報テーブル）８ａを含んでいる。各領域情報テーブルは、テーブルインデックス（領域インデックス）、領域８２ａの親レベル（１から８の間の値）、領域の開始ＰＴＭ８３ａと終了ＰＴＭ８４ａ、および開始ＶＯＢＵエントリの番号８５ａと終了ＶＯＢＵエントリの番号８６ａを含んでいる。
【００２９】
図４または図８ａに示されるようにそのデータ領域に格納されたコンテンツデータを有する読み取り専用記録媒体を再生する方法（たとえば、ＨＤ−ＤＶＤ）、および図５、図６または図８ｂに示されるようにそのデータベース領域に格納されるナビゲーション情報がここで開示される。
【００３０】
図９は、本発明によるデータ構造を有する読み取り専用記録媒体９１を再生する装置のブロック図である。データ再生が要求される場合、再生制御部９０は、ドライバ９３を制御して、光ピックアップ９２が、前述したデータ構造を読み出すことができるようにする。まず第一に、図５および図６または図８Ｂに示される情報を含むナビゲーション情報が記録されたデータの再生のためにメモリー９９にロードされる。ロードされた情報とユーザインターフェース（たとえば、装置上のボタン、リモートコントローラなど）を介して受け取られたユーザ入力を基にして、再生制御部９０は、記録媒体９１から記録されたタイトルを読み出すようにドライバ９３を制御する。ユーザ入力は、読み出す記録されたタイトルを指定でき、これはナビゲーション情報によりＶＯＢとして管理される。ユーザ入力は、再生制御部９０にあらかじめプログラムされたＧＵＩ（Ｇｒａｐｈｉｃａｌ  Ｕｓｅｒ  Ｉｎｔｅｒｆａｃｅ）介して入力できる。再生制御部９０は、ユーザ入力とロードされたナビゲーション情報を使用して、指定されたタイトルの再生を制御する。
【００３１】
デフォーマッター９４は、ドライバ９３および光ピックアップ９２により読み出されたデータストリームを受け取り、エラー訂正動作を実行した後、デマルチプレクサ９５にデータを提供する。デマルチプレクサ９５は、入力データストリームをオーディオデータおよびビデオデータに逆多重化(ｄｅｍｕｌｔｉｐｌｅｘ)する。Ａ／Ｖデコーダ９６は、ビデオデータおよびオーディオデータをデコートすることにより、元のビデオデータおよびオーディオデータを受け取る。再生処理の間、デフォーマッター９４、デマルチプレクサ９５、およびＡ／Ｖデコーダ９６の動作は、再生制御部９０により監視される。
【００３２】
多重複製パスコンテンツのランダム再生または検索の場合において、再生制御部９０は、図６に示され、メモリー９９にロードされるタイムマップ情報に基づいて、特定ＶＯＢＵをアクセスする。例えばユーザが、現在のアングル（たとえばアングル１）からアングル２へのアングル切り替えを要求する場合、再生制御部９０は、Ａｎｇｌｅ＿Ｎｕｍｂｅｒフィールドが２を有するＶＯＢＵより前に位置づけられたＶＯＢＵ＿ＳＺフィールドの値の合計によりデータをスキップすることにより、アングル２の開始ＶＯＢＵにアクセスする。Ａｎｇｌｅ＿Ｎｕｍｂｅｒフィールドが２を有するＶＯＢＵを探す代わりに、再生制御部９０は、ＶＯＢＵのＶＯＢＵ＿ＳＺフィールドの値に、現在再生されているＶＯＢＵのエントリに書き込まれたＮｅｘｔ＿Ｉｎｖ＿ＶＯＢＵ＿Ｎｕｍ＿Ｏｆｆｓｅｔフィールドの値の数を加えることができる。
【００３３】
図５に示される領域情報に基づいて、再生制御部９０は、現在の領域についての情報（例えば、多重複製パスの数、各複製パスの再生時間期間等）をユーザに示すことができるか、またはデータスキップの場合に情報を利用することができる。例えば、ユーザが、領域内のＶＯＢＵの再生の間、現在の多重複製領域をスキップすることを要求する場合、再生制御部９０は、次の領域情報テーブルの「Ｒｅｇｉｏｎ’ｓ  Ｓｔａｒｔ  ＶＯＢＵ  Ａｄｄｒｅｓｓ」フィールドの値を参照して、次の領域へのジャンプを行なうことができる。これは、図５および図６に示されるナビゲーション情報を使用する多くの応用の一例に過ぎない。
【００３４】
複数の親レベルのＡ／Ｖデータが読み取り専用記録媒体９１に記録される場合、再生制御部９０は、各領域の親レベルを示すか、または図８Ｂに示される親レベル情報テーブルに基づいて、親レベル間の切り替えることができる。
【００３５】
上で説明した本発明の少なくとも１つの実施形態は、多重複製パスを有するコンテンツデータ上のエラーなしで、または読み取り専用記録媒体に記録されたコンテンツデータ内の異なる親レベルで、迅速な検索動作を可能にする。
【００３６】
本発明が限られた数の実施形態に関して開示されていた一方で、この開示により利益を有する当業者は、ここから膨大な数の修正及び変更を行なえる。すべてのこのような修正および変更は、本発明の精神および範囲内となることを意図する。
【図面の簡単な説明】
【００３７】
【図１】本発明によるナビゲーション情報を有する読み取り専用記録媒体を製造するための装置のブロック図を示している。
【図２】ビデオデータをナビゲーションユニットに組織化することによりビデオデータを記録する処理の一例を示している。
【図３ａ】多重複製領域のナビゲーションユニットをインターリーブするための方法の例を示している。
【図３ｂ】多重複製領域のナビゲーションユニットをインターリーブするための方法の例を示している。
【図４】多重複製パスを有する記録されたタイトル、および本発明によってそこに記録された領域の一例を示している。
【図５】本発明によって領域情報テーブルおよび領域一般情報の構造を示している。
【図６】本発明によって記録されるＶＯＢＵエントリの構造を示している。
【図７】本発明によるＶＯＢＵエントリのいくつかの主要フィールドを示している。
【図８ａ】異なる親レベルを有する記録されたタイトル、および本発明に酔ってそこに記録された領域の一例を示している。
【図８ｂ】本発明によって図８ａにおいて示される例について生成される領域情報の構造を示している。
【図９】本発明によるデータ構造を有する読み取り専用記録媒体を再生するための装置のブロック図を示している。
【図１】
2008523698.tif 000003
【図２】
2008523698.tif 000004
【図３ａ】
2008523698.tif 000005
【図３ｂ】
2008523698.tif 000006
【図４】
2008523698.tif 000007
【図５】
2008523698.tif 000008
【図６】
2008523698.tif 000009
【図７】
2008523698.tif 000010
【図８ａ】
2008523698.tif 000011
【図８ｂ】
2008523698.tif 000012
【図９】
2008523698.tif 000013
【国際調査報告】
2008523698.tif 000014